(57)【要約】      （修正有）【課題】組立性を改善すると共に、落としても破損しにくい照明ライトを提供する。【解決手段】ＬＥＤ６と、このＬＥＤ６を支持する基板３４と、ＬＥＤ６の点灯制御を行う回路部とが収容された本体部３と、本体部３に対して装着されると共に、弾性及び透光性を有し、ＬＥＤ６からの放射光を外部に導出させるための中空の弾性体カバー２と、を備えて照明ライトを構成する。また、弾性体カバー２は、放射光を外部に導出させる光導出部２０と、本体部３が挿入され、かつ、位置決め係合される筒状の装着部２１とが、一体形成され、装着部２１の内面側に、突出部２２を形成し、本体部３の外面側に、突出部２２と係合する係合溝部３ａを形成する。【選択図】図３
0003168867.tif 000002
【実用新案登録請求の範囲】
【請求項１】
発光素子と、この発光素子を支持する基板と、前記発光素子の点灯制御を行う回路部とが収容された本体部と、
前記本体部に対して装着されると共に、弾性及び透光性を有し、前記発光素子からの放射光を外部に導出させるための中空の弾性体カバーと、を備えた照明ライトであって、
前記弾性体カバーは、前記放射光を外部に導出させる光導出部と、前記本体部が挿入され、かつ、位置決め係合される筒状の装着部とが、一体形成され、
前記装着部の内面側に、突出部または溝部を形成し、前記本体部の外面側に、前記突出部と係合する係合溝部または前記溝部と係合する係合突出部を形成したことを特徴とする照明ライト。
【請求項２】
前記装着部の内面側に前記突出部を形成し、前記本体部に前記係合溝部を形成したことを特徴とする請求項１に記載の照明ライト。
【請求項３】
前記本体部は、前記発光素子を支持する基板が取り付けられる円筒状の支持部材と、前記発光素子を遮蔽すると共に、前記放射光を前記弾性体カバー内の空間へ拡散させる透光性カバー部材と、を結合して構成され、前記支持部材と前記カバー部材の境界位置に前記係合溝部が形成されることを特徴とする請求項２に記載の照明ライト。
【請求項４】
前記筒状の装着部は、円筒状の内周面を有し、この内周面の円周方向に沿って前記突出部または前記溝部が形成され、かつ、前記本体部も前記内周面に対応した円筒部を有していることを特徴とする請求項１〜３のいずれか１項に記載の照明ライト。
【請求項５】
前記突出部または前記溝部に垂直な方向に、前記本体部の回転方向の移動を規制するための規制突出部または規制溝部が、前記装着部の前記内周面に一体形成されていることを特徴とする請求項４に記載の照明ライト。
【請求項６】
前記装着部の底面側に、挿入された本体部の脱出方向への移動を規制するための規制突起が一体形成されていることを特徴とする請求項１〜５のいずれか１項に記載の照明ライト。
【考案の詳細な説明】
【技術分野】
【０００１】
本考案は、発光素子と、この発光素子を支持する基板と、前記発光素子の点灯制御を行う回路部とが収容された本体部と、前記本体部に対して装着されると共に、弾性及び透光性を有し、前記発光素子からの放射光を外部に導出させるための中空の弾性体カバーと、を備えた照明ライトに関する。
【背景技術】
【０００２】
かかる照明ライトの一例として、下記特許文献に開示されるＬＥＤライトが知られている。このＬＥＤライトは、光拡散体が操作本体に取り付けられて構成され、スイッチをオンすることで、ＬＥＤに通電され光拡散体の表面から光が拡散する。
【先行技術文献】
【特許文献】
【０００３】
【特許文献１】特開２００１−９３３０１号公報
【考案の概要】
【考案が解決しようとする課題】
【０００４】
上記先行技術においては、光拡散体は、透明なプラスチック、例えば、アクリル樹脂により形成されている。光拡散体と操作本体との結合は、操作本体と着脱自在に嵌合する嵌合リングによって行われる。光拡散体は、着脱自在ではあるが、プラスチックにより形成されるため、組み立てにおいて、係脱作業に少なからぬ力が必要である。また、ライトを転倒させたり、落としたりした時に、破損しやすいという一面も持っている。
【０００５】
本考案は上記実情に鑑みてなされたものであり、その課題は、組立性を改善すると共に、落としても破損しにくい照明ライトを提供することである。
【課題を解決するための手段】
【０００６】
上記課題を解決するため本考案に係る照明ライトは、
発光素子と、この発光素子を支持する基板と、前記発光素子の点灯制御を行う回路部とが収容された本体部と、
前記本体部に対して装着されると共に、弾性及び透光性を有し、前記発光素子からの放射光を外部に導出させるための中空の弾性体カバーと、を備えた照明ライトであって、
前記弾性体カバーは、前記放射光を外部に導出させる光導出部と、前記本体部が挿入され、かつ、位置決め係合される筒状の装着部とが、一体形成され、
前記装着部の内面側に、突出部または溝部を形成し、前記本体部の外面側に、前記突出部と係合する係合溝部または前記溝部と係合する係合突出部を形成したことを特徴とするものである。
【０００７】
かかる構成による照明ライトの作用・効果を説明する。この照明ライトは、発光素子等を収容する本体部と、この本体部に装着される弾性体カバーを備えている。この弾性体カバーを介して、光が外部に放出される。この弾性体カバーは、透光性を有すると共に弾性を有している。弾性体カバーと本体部を結合する時は、この弾性を利用して組み立てることができる。弾性体カバーは、溝部と突出部の係合により、本体部に対して位置決め係合される。この位置決め係合は、弾性体カバーの弾性を利用して簡単に作業することができる。また、弾性体カバーを設けることにより、落としたとしても、衝撃力を緩和することができ、破損することを抑制することができる。これにより、組立性を改善すると共に、落としても破損しにくい照明ライトを提供することができる。
【０００８】
本考案において、前記装着部の内面側に前記突出部を形成し、前記本体部に前記係合溝部を形成したことが好ましい。内面側に突出部を形成することで、本体部を装着部内へと挿入しやすくすることができる。
【０００９】
本考案に係る前記本体部は、前記発光素子を支持する基板が取り付けられる円筒状の支持部材と、前記発光素子を遮蔽すると共に、前記放射光を前記弾性体カバー内の空間へ拡散させる透光性カバー部材と、を結合して構成され、前記支持部材と前記カバー部材の境界位置に前記係合溝部が形成されることが好ましい。
【００１０】
かかる支持部材と透光性部材は、もともと照明ライトを構成するのに必要な部材である。この必要な部材を利用して、係合溝部を構成することができる。特に、支持部材と透光性部材を結合するときの境界位置に係合溝部を構成するので、発光素子や回路部等の部品配置を確保しながらも、無理なく係合溝部を設けることができる。
【００１１】
本考案において、前記筒状の装着部は、円筒状の内周面を有し、この内周面の円周方向に沿って前記突出部または前記溝部が形成され、かつ、前記本体部も前記内周面に対応した円筒部を有していることが好ましい。
【００１２】
装着部と、本体部とを共に円筒状に形成することで、円周方向に沿った突出部または溝部を形成することができ、装着部と本体部とを互いに係合させることができる。装着部および本体部を円筒状にすることで、挿入しやすい形状とすることができる。
【００１３】
本考案に係る前記突出部または前記溝部に垂直な方向に、前記本体部の回転方向の移動を規制するための規制突出部または規制溝部が、前記装着部の前記内周面に一体形成されていることが好ましい。
【００１４】
かかる規制突出部または規制溝部を形成することで、本体部の回転方向に対する位置決めを行うことができる。また、上記規制突出部または規制溝部は、弾性体カバーの操作部に一体形成することができ、コスト的な利点も有する。
【００１５】
本考案において、前記装着部の底面側に、挿入された本体部の脱出方向への移動を規制するための規制突起が一体形成されていることが好ましい。
【００１６】
かかる規制突起を形成することで、本体部を弾性体カバーの装着部に安定した状態で保持することができる。また、規制突起を弾性体カバーに一体形成することで、コスト的な利点も有する。
【図面の簡単な説明】
【００１７】
【図１】照明ライトの外観構成を示す斜視図
【図２】内部構造を説明するための分解斜視図
【図３】電源端子を通る垂直面で切断した時の断面図
【図４】図３の断面図と直交する方向の断面図
【図５】照明ライトの底面図
【考案を実施するための形態】
【００１８】
本考案に係る照明ライトの好適な実施形態を図面を用いて説明する。図１は、照明ライトの外観構成を示す斜視図である。図２は、内部構造を説明するための分解斜視図である。図３は、電源端子を通る垂直面で切断した時の断面図である。図４は、図３の断面図と直交する方向の断面図である。図５は、底面図である。
【００１９】
＜外観構成＞
図１は、光源として高輝度ＬＥＤを使用した照明ライト１を示す。照明ライト１は、大きく分けて、弾性体カバー２と、弾性体カバー２の内部に収容される本体部３と、電源アダプタ４により構成される。
【００２０】
弾性体カバー２は、シリコンゴムの成形品であり、光導出部２０と装着部２１が一体形成されている。弾性体カバー２は、ゴム（弾性体）で形成されており、かつ、光透光性を有している。光導出部２０は、光を拡散させながら外部に導出させる機能を有する。その形状は、伝統的な電球と類似した形状であるが、本考案は、特定の形状に限定されるものではない。
【００２１】
装着部２１は、筒状、具体的には円筒状であり、同じく円筒状を呈する本体部３が内部に装着される。本体部３の構成は、図２に示される。
【００２２】
＜本体部の構成＞
本体部３は、円筒状の支持部材３０と、この支持部材３０の上に取り付けられる透光性カバー部材３１を備えている。支持部材３０は、側面に第１円筒面３０１が形成されており、装着部２１の内面に嵌合する。第１円筒面３０１のすぐ下部に第２円筒面３０２が設けられている。第２円筒面３０２の外径は、第１円筒面３０１の外径よりも少し小さな寸法に設定されている。
【００２３】
第１円筒面３０１には、電源端子３０３が設けられている。電源端子３０３には、電源アダプタ４の電源ピン４０が着脱自在に装着される。電源アダプタ４０のプラグ４１をコンセントに差し込むことで、照明ライト１に電源を供給することができる。電源端子３０３の左右両側に、ガイド溝３０４が形成されている。ガイド溝３０４は、垂直方向に２本形成されている。
【００２４】
第２円筒面３０２の底面部（本体部３の底面部）には、支持脚３０５が形成されている。支持脚３０５は、底面部に３か所形成されており、安定した状態で照明ライト１を載置させることができる。
【００２５】
支持部材３０の上面には、円錐台状の膨出部３２が形成されている。膨出部３２の上面には、２つの円筒ボス３２０が形成されている。支持部材３０の内部には、ＬＥＤを点灯制御するための回路部が設けられており、その回路部に接続されているリード線が上記円筒ボス３２０を通じて、ＬＥＤへ接続される。従って、円筒ボス３２０は、リード線を通過させるための貫通孔が中心に形成されている。
【００２６】
また、膨出部３２の上面には、位置決め突起３２１が一体形成されている。さらに、ネジ穴３２２が２か所形成されている。
【００２７】
膨出部３２の上面には、ヒートシンクとして機能する金属板３３が設けられる。金属板３３には、上記の円筒ボス３２０を貫通させるための逃げ穴３３０が２か所形成されている。また、前述の位置決め突起３２１に嵌合する位置決め穴３３１が形成されている。これにより、金属板３３を支持部材３０に対して位置決めさせることができる。さらに、前述のネジ穴３２２に対応した位置に２か所、ネジ取り付け用穴３３３が形成される。また、金属板３３の円周縁には、１２０゜間隔で、３か所の切欠３３２が形成されている。金属板３３を設けることでＬＥＤによる発熱を効率よく逃がすことができる。
【００２８】
金属板３３のすぐ上に基板３４がネジ５により結合される。ネジ５は、ネジ穴３２２を利用して締結され、これにより、基板３４と金属板３３を膨出部３２の上面に結合することができる。基板３４には、ネジ５を貫通させるためのネジ取り付け用穴３４０と、円筒ボス３２０を貫通させるための貫通孔３４１が形成される。基板３４の中央には高輝度ＬＥＤ６がはんだ付けにより結合される。また、円筒ボス３２０を通過して出てきたリード線（不図示）は、基板３４の上に設けられた電極にはんだ付けされる。
【００２９】
透光性カバー部材３１は、透光性を有する樹脂により成形される。透光性カバー部材３１は、膨出部３１０と、取り付け部３１１が一体形成される。ＬＥＤ６からの放射光は、透光性カバー部材３１を通過することで、拡散されて、弾性体カバー２内に導出される。
【００３０】
取り付け部３１１には、凹部３１２が３か所形成されており、ネジ７の取り付け用として機能する。ネジ７は、支持部材３０の上面に設けられたネジ穴３０６を利用して、ネジ締結される。これにより、支持部材３０の上部に、透光性カバー部材３１を結合させることができる。なお、前述の切欠３３２は、ネジ７との干渉を防ぐために設けられる。
【００３１】
図３、図４に示すように、支持部材３０と透光性カバー部材３１を結合した時に、境界位置に係合溝部３ａが形成される。透光性カバー部材３１の裏面には高さの低い円筒部３１３が形成されており、この円筒部３１３と、支持部材３０の上面により、上記係合溝部３ａが形成される。
【００３２】
一方、弾性体カバー２の装着部２１の上部（光導出部２０の下部）に、突出部２２が形成されている。この突出部２２が、上記係合溝部３ａに係合する。本体部３を装着部２１に装着完了した状態で、図３に示すように、支持脚３０５が弾性体カバー２の底面から突出した状態にある。突出部２２は、リング状に形成されている。
【００３３】
さらに、装着部２１の底面側には、リング状に形成された規制突起２３が一体形成されている。この規制突起２３は、本体部３の底面側（第１円筒面３０１の底面）に入り込み、本体部３を底面側から支持する機能を果たす。規制突起２３の位置は、ちょうど、本体部３の第２円筒面３０２が設けられている位置に対応している。
【００３４】
図４に示すように、本体部３の支持部材３０の内部には、回路部を構成する回路基板８が配置され、押え部材８０をネジ８１により支持部材３０の内部に結合することで、回路基板８も固定される。回路基板８には、端子ユニット８２が取り付けられており、電源アダプタ４の電源ピン４０が着脱自在に構成されている。なお、装着部２１には、電源ピン４０を挿入するための穴２４が形成されている（図１参照）。
【００３５】
本体部３の底面には、オンオフスイッチ８３と、タイマースイッチ８４が設けられている。オンオフスイッチ８３により、照明ライト１の点灯・消灯を行うことができる。また、タイマースイッチ８４によりタイマーの設定を行うことができる。
【００３６】
なお、図示はしていないが、ガイド溝３０４に係合する垂直方向の規制突出部が、装着部２１の内面に一体形成されている。
【００３７】
＜組立手順＞
次に、本考案に係る照明ライト１の組み立てに関して簡単に説明する。図２に示すような本体部３を弾性体カバー２に組み込む時は、弾性体カバー２の装着部２１の底面側から本体部３を挿入させる。このとき、装着部２１の内面に形成された規制突出部と、本体部３のガイド溝３０４の位置を合わせた状態で挿入させる。
【００３８】
本体部３の挿入を完了した状態では、図３、図４に示すように、本体部３に形成された係合溝部３ａが弾性体カバー２の突出部２２に係合する。また、装着部２１の規制突起２３が本体部３の底面に入り込む。これら装着動作のときには、弾性体カバー２が弾性変形するので、装着動作に力は必要なく容易に行うことができる。また、弾性体カバー２と本体部３との結合は、ネジを使用しない結合方法で実現しており、組み立てコストも抑制することができる。
【００３９】
また、前述の規制突出部とガイド溝３０４を係合させることで、本体部３の回転方向への移動を抑制することができる。また、電源端子３０３の位置を装着部２２に形成された穴２４の位置に確実に合わせることができる。
【００４０】
また、本考案において、弾性体カバー２は弾性を有しており、照明ライト１を転倒させたとしても、弾性体カバー２がへこむことで衝撃を吸収し、損傷を受けにくくすることができる。ちなみに、弾性体カバー２は、ほぼ均一な肉厚で成形され、内部は空洞である。照明ライト１の外観のほとんどは、弾性体カバー２の外観でもあり、意匠的にも見栄えの良いものということができる。
【００４１】
＜別実施形態＞
本実施形態において、装着部２１の側に突出部が形成され、本体部３の側に係合溝部が形成されているが、本考案は、これに限定されるものではない。すなわち、装着部２１の側に溝部を形成し、本体部３の側にこの溝部と係合する係合突出部が形成されていてもよい。また、本体部３に係合溝部３ａを形成する場合、本実施形態以外の方法で形成してもよい。例えば、支持部材３０の第１円筒面３０１に円周溝を形成してもよい。本実施形態のように、本体部３に係合溝部３ａを形成した方が、本体部３を無理なく（大きな力を要することなく）装着部３の内部へ挿入することができ、弾性体カバー２も均一な肉厚に構成しやすくなる。
【００４２】
本実施形態において、装着部２１の内面に規制突出部が形成され、これと係合するガイド溝３０４が本体部３に形成されているが、本考案は、これに限定されるものではない。装着部２１の内面に規制溝部を形成し、これと係合するガイド突起を本体部３に形成してもよい。
【００４３】
本実施形態において、突出部２２はリング状であるが、リング形状の途中が切れていてもよい。すなわち、突出部２２は、全周に形成する必要はない。この点は、装着部２１の底面側に形成される規制突起２３についても同様である。
【００４４】
発光素子は、高輝度ＬＥＤではない、通常のＬＥＤでもよい。また、ＬＥＤ以外の発光素子を用いてもよい。
【符号の説明】
【００４５】
１        照明ライト
２        弾性体カバー
３        本体部
３ａ      係合溝部
４        電源アダプタ
６        ＬＥＤ
８        回路基板
２０      光導出部
２１      装着部
２２      突出部
２３      規制突起
３０      支持部材
３０４    ガイド溝
３１      透光性カバー
３２      膨出部
３３      金属板
３４      基板
【図１】
0003168867.tif 000003
【図２】
0003168867.tif 000004
【図３】
0003168867.tif 000005
【図４】
0003168867.tif 000006
【図５】
0003168867.tif 000007